(57)【要約】【課題】断面Ｌ形のパッドを側部梱包部材に一体的に形成した温水装置の梱包部材を提供することである。【解決手段】温水装置(1)を梱包するためのダンボール製の梱包部材(2)は、温水装置(1)の少なくとも1本の縦稜線部(1b)とその両側部分を覆う角部梱包部材(10)を有し、角部梱包部材(10)は、縦稜線部(1b)の片側部分と他側部分を夫々覆う第１，第２板部(11,12)と、第１，第２板部(11,12)の外面側又は内面側に配置される断面Ｌ形の補強板部(13)と、第１板部(11)の角側端部と補強板部(13)の一端部を接続する第１斜板部(14)と、第２板部(12)の角側端部と補強板部(13)の他端部を接続する第２斜板部(15)とを有する。【選択図】図２
2020015521.tif 000002
【特許請求の範囲】
【請求項１】
温水装置を梱包するためのダンボール製の梱包部材において、
前記温水装置の少なくとも1本の稜線部とその両側部分を覆う角部梱包部材を有し、
前記角部梱包部材は、前記稜線部の片側部分と他側部分を夫々覆う第１，第２板部と、前記第１，第２板部の外面側又は内面側に配置される断面Ｌ形の補強板部と、前記第１板部の角側端部と前記補強板部の一端部を接続する第１斜板部と、前記第２板部の角側端部と前記補強板部の他端部を接続する第２斜板部とを有することを特徴とする温水装置の梱包部材。
【請求項２】
前記梱包部材は、２つの前記角部梱包部材を断面コ字状に接続して前記温水装置の２本の稜線部とその両側部分及び稜線間部分を覆うように構成された断面コ字状の側部梱包部材を有することを特徴とする請求項１に記載の温水装置の梱包部材。
【請求項３】
前記補強板部が前記温水装置と当接するように前記側部梱包部材の内面側に設けられていることを特徴とする請求項１又は請求項２に記載の温水装置の梱包部材。
【発明の詳細な説明】
【技術分野】
【０００１】
本発明は、温水装置の梱包部材に関し、温水装置の稜線部を保護する断面Ｌ形のパッドを省略可能にした梱包部材に関する。
【背景技術】
【０００２】
貯湯式給湯機等の温水装置を梱包する為の種々の梱包部材が提案されている。
特許文献１に記載の梱包装置においては、貯湯式給湯機の直方体状の梱包部材の中段部の上部と下部に環状の凸型支持部を形成して貯湯式給湯機を保護している。
【０００３】
特許文献２に記載の貯湯式給湯機の梱包部材においては、直方板体状の梱包部材の適当個所に、開口部を形成し、その開口部を形成することで切り起こしたダンボール片を折り曲げ加工して衝撃吸収部を形成している。
【０００４】
特許文献３に記載の貯湯式給湯機の梱包部材においては、断面コ字形の第1の側面保護カバーと、断面コ字形の第２の側面保護カバーとを対向状に配置し、それの端部をオーバーラップさせることで、カバーの端部等のめくれや折り曲げ等を防止している。
【０００５】
本願出願人が採用して来た温水装置の梱包部材は、図５に示すように、温水装置１００の底部を支持するスキッド１０１と、断面コ字形の第１，第２側面カバー１０２，１０３と、温水装置１００の４本の縦稜線部１００ａに当てる４本のパッド１０４と、下面開放の箱状の天カバー１０５と、温水装置１００の２本の横稜線部１００ｂに当てる２本のパッド１０６と、天カバー１０５の上面にセットする天部材スペーサ１０７とを有する。
【０００６】
第１，第２側面カバー１０２，１０３と４本のパッド１０４の下端部をスキッド１０１に配置し、２本のパッド１０６を天カバー１０５内に装着し、第１，第２側面カバー１０２，１０３と４本のパッド１０４の上端部を天カバー１０５に内嵌させ、天カバー１０５の上に天部材スペーサ１０７をセットして状態で、図６に示すように複数の縦バンド１０８と横バンド１０９とで縛って梱包する。温水装置１００をトラックにて輸送する際に、温水装置１００をロープやベルト等で荷台に縛り付ける際に、温水装置１００の稜線部が損傷しないように、前記パッド１０４，１０６が設けられている。
【先行技術文献】
【特許文献】
【０００７】
【特許文献１】特許第４８３２４７２号公報
【特許文献２】特開２０１４−２１３８７４号公報
【特許文献３】特開２０１１−１１６４１９号公報
【発明の概要】
【発明が解決しようとする課題】
【０００８】
図５に示す梱包部材においては、４本のパッド１０４が第１，第２側面カバー１０２，１０３と一体ではなく別部材であるため、梱包部材を組み立てる際に、４本のパッド１０４がズレ動くため組立性が悪く、組立てに２，３名の作業者を要し多大の時間がかかる。
しかも、４本のパッド１０４の分だけ部材数が増すため、製作費も高価になるうえ、使用後の廃材が多くなるという問題もある。
【０００９】
本発明の目的は、前記パッドを側面カバーに一体的に形成した温水装置の梱包部材を提供することである。
【課題を解決するための手段】
【００１０】
請求項１の温水装置の梱包部材は、温水装置を梱包するためのダンボール製の梱包部材において、前記温水装置の少なくとも1本の稜線部とその両側部分を覆う角部梱包部材を有し、前記角部梱包部材は、前記稜線部の片側部分と他側部分を夫々覆う第１，第２板部と、前記第１，第２板部の外面側又は内面側に配置される断面Ｌ形の補強板部と、前記第１板部の角側端部と前記補強板部の一端部を接続する第１斜板部と、前記第２板部の角側端部と前記補強板部の他端部を接続する第２斜板部とを有することを特徴としている。
【００１１】
上記の構成によれば、角部梱包部材は、第１，第２板部と、これらの外面側又は内面側に配置される断面Ｌ形の補強板部と、第１，第２斜板部とを一体的に形成したもので、断面Ｌ形の補強板部を有するため、温水装置の稜線部を補強板部で確実に保護することができる。しかも、補強板部が角部梱包部材に一体的に形成されているため、梱包部材を組み立てる際の組立性が向上し、梱包部材の製作費も低減でき、梱包部材の使用後の廃材も低減することができる。
【００１２】
請求項２の温水装置の梱包部材は、請求項１の発明において、前記梱包部材は、２つの前記角部梱包部材を断面コ字状に接続して前記温水装置の２本の稜線部とその両側部分及び稜線間部分を覆うように構成された断面コ字状の側部梱包部材を有することを特徴としている。
上記の構成によれば、温水装置を両側から１対の側部梱包部材でカバーすることで、梱包部材の組立てを簡単に能率的に行うことができる。
【００１３】
請求項３の温水装置の梱包部材は、請求項１又は請求項２の発明において、前記補強板部が前記温水装置と当接するように前記側部梱包部材の内面側に設けられていることを特徴としている。
上記の構成によれば、前記補強板部が前記側部梱包部材の外面側に露出しないため、梱包部材の外観の意匠性が向上する。
【発明の効果】
【００１４】
以上説明したように、本発明は種々の作用、効果を奏する。
【図面の簡単な説明】
【００１５】
【図１】本発明の実施形態に係る温水装置の梱包部材の分解斜視図である。
【図２】側部梱包部材の横断面図である。
【図３】側部梱包部材の要部の展開図である。
【図４】変更実施形態に係る側部梱包部材の横断面図である。
【図５】従来の温水装置の梱包部材の分解斜視図である。
【図６】従来の梱包部材で梱包された温水装置の斜視図である。
【発明を実施するための形態】
【００１６】
以下、本発明を実施するための形態について図面に基づいて説明する。
図１は、貯湯式給湯装置からなる温水装置１と、この温水装置１を梱包するダンボール製の梱包部材２の分解斜視図である。温水装置１は概ね直方体状のもので、図示のＦ，Ｌは、前方と左方を示すものとする。
【００１７】
この梱包部材２は、温水装置１を載置するスキッド３と、温水装置１の前側面を含む前部と後側面を含む後部を夫々覆う第１，第２側部梱包部材４Ａ，４Ｂと、温水装置１の上端部分を覆う天カバー５と、温水装置１の上端部の横稜線部１ａに当てる２本のパッド６と、天カバー５の上面にセットする天部材スペーサ７とを有する。
【００１８】
第１，第２側部梱包部材４Ａ，４Ｂは断面コ字形のもので、これらは前後に対称で同構造のものであるので、第２側部梱包部材４Ｂについて説明する。
図１〜図３に示すように、第２側部梱包部材４Ｂは、温水装置１の1本の縦稜線部１ｂとその両側部分を覆う角部梱包部材１０を２組備えている。
【００１９】
角部梱包部材１０の各々は、縦稜線部１ｂの片側部分（左側部分）と他側部分（後側部分）を夫々覆う第１，第２板部１１，１２と、第１，第２板部１１，１２の内面側に温水装置１と当接するように配置される断面Ｌ形の補強板部１３と、第１板部１１の角側端部１１ａと補強板部１３の一端部１３ａを接続する第１斜板部１４と、第２板部１２の角側端部１２ａと補強板部１３の他端部１３ｂを接続する第２斜板部１５とを備えている。
【００２０】
前記補強板部１３は、幅方向中央部に９０°開角の谷折り部１３ｃが形成され、谷折り部１３ｃの両側の２つの帯板部は同幅である。
この補強板部１３は、第１，第２板部１１，１２の表面から例えば５，６ｍｍ離隔させて第１，第２板部１１，１２と平行に配置されている。
【００２１】
上記の角部梱包部材１０を形成する場合、図３に示すように、５本の折れ線（谷折り線１６ａ、 山折り線１６ｂ、谷折り線１６ｃ、山折り線１６ｄ、谷折り線１６ｅ）をマーキングして図２に示すように折り曲げることで容易に形成することができる。
【００２２】
第２側部梱包部材４Ｂは、２つの角部梱包部材１０を断面コ字状に接続して温水装置１の２本の縦稜線部１ｂとその両側部分（左側部分及び右側部分）及び稜線間部分（後側部分）を覆うように構成された断面コ字状のものである。
この第２側部梱包部材４Ｂの２つの角部の内側には、２つの補強板部１３が形成されているため、これら補強板部１３を温水装置１の２本の縦稜線部１ｂに当接させることで２本の縦稜線部１ｂを確実に保護することができる。
【００２３】
上記の梱包部材２の作用、効果について説明する。
角部梱包部材１０は、第１，第２板部１１，１２と、これらの内面側に配置される断面Ｌ形の補強板部１３と、第１，第２斜板部１４，１５とを一体的に形成したもので、断面Ｌ形の補強板部１３を有するため、温水装置１の縦稜線部１ｂを補強板部１３で確実に保護することができる。
【００２４】
しかも、補強板部１３が第２側部梱包部材４Ｂに一体的に形成されているため、温水装置１を前後両側から１対の側部梱包部材４Ａ，４Ｂで覆うことで、梱包部材２の組立てを簡単に能率的に行うことができる。しかも、梱包部材２の製作費も低減でき、梱包部材２の使用後の廃材も低減することができる。
【００２５】
補強板部１３が第１，第２側部梱包部材４Ａ，４Ｂの外面側に露出しないため、梱包部材２の外観の意匠性が向上する。
【００２６】
次に、変更形態に係る梱包部材について説明する。
図４に示すように、第２側部梱包部材４Ｂａは、温水装置１の1本の縦稜線部１ｂとその両側部分を覆う角部梱包部材２０を２組備えている。
【００２７】
角部梱包部材２０は、縦稜線部１ｂの片側部分（左側部分）と他側部分（後側部分）を夫々覆う第１，第２板部２１，２２と、第１，第２板部２１，２２の外面側に配置される断面Ｌ形の補強板部２３と、第１板部２１の角側端部２１ａと補強板部２３の一端部２３ａを接続する第１斜板部２４と、第２板部２２の角側端部２２ａと補強板部２３の他端部２３ｂを接続する第２斜板部２５とを有する。
【００２８】
第２側部梱包部材４Ｂａは、２つの角部梱包部材２０を断面コ字状に接続して温水装置１の２本の縦稜線部１ｂとその両側部分（左側部分及び右側部分）及び稜線間部分（後側部分）を覆うように構成された断面コ字状のものである。
この第２側部梱包部材４Ｂａの２つの角部の外側には、２つの補強板部２３が形成されているため、これら補強板部２３を温水装置１の２本の縦稜線部１ｂに当接させることで２本の縦稜線部１ｂを確実に保護することができる。
【００２９】
次に、前記実施形態を変更する例について説明する。
１）前記側部梱包部材４Ｂ，４Ｂａは、角部梱包部材１０，２０を２組備えたものであるが、角部梱包部材１０，２０を1組だけ備えた梱包部材も実施可能である。
２）温水装置１の縦稜線部１ｂを保護する補強板部１３，２３に限らず、横稜線部１ａを保護する補強板部を有する角部梱包部材も実施可能である。
３）その他、当業者ならば、本発明の趣旨を逸脱することなく、前記実施形態に種々の変更を付加した形態で実施可能であり、本発明はそのような変更形態も包含するものである。
【符号の説明】
【００３０】
１      温水装置
１ｂ      縦稜線部
２      梱包部材
４Ａ，４Ｂ      第１，第２側部梱包部材
４Ｂａ          第２側部梱包部材
１０，２０      角部梱包部材
１１，２１      第１板部
１２，２２      第２板部
１３，２３      補強板部
１４，２４      第１斜板部
１５，２５      第２斜板部
【図１】
2020015521.tif 000003
【図２】
2020015521.tif 000004
【図３】
2020015521.tif 000005
【図４】
2020015521.tif 000006
【図５】
2020015521.tif 000007
【図６】
2020015521.tif 000008